【手続補正書】
【提出日】令和1年10月7日(2019.10.7)
【手続補正１】
【補正対象書類名】明細書
【補正対象項目名】発明の名称
【補正方法】変更
【補正の内容】
【発明の名称】ＣＯＲＥＳＥＴにおいて制御チャンネルを受信／送信するための方法及び装置
【手続補正２】
【補正対象書類名】明細書
【補正対象項目名】０００１
【補正方法】変更
【補正の内容】
【０００１】
本発明は無線通信システムに関し、より具体的には、無線通信システムにおいて制御チャンネルを受信／送信する方法、並びにそのための装置に関する。
【手続補正３】
【補正対象書類名】特許請求の範囲
【補正対象項目名】全文
【補正方法】変更
【補正の内容】
【特許請求の範囲】
【請求項１】
無線通信システムにおいて、端末（ＵＥ）が下りリンク信号を受信する方法であって、
同期信号ブロック（ＳＳＢ）上でＰＢＣＨ信号を受信するステップと、
前記ＰＢＣＨ信号に基づいて設定された第１の制御リソースセット（ＣＯＲＥＳＥＴ）において、システム情報をスケジュールする第１制御チャンネルを受信するステップと、
前記第１制御チャンネルによってスケジュールされた前記システム情報を獲得するステップと、を含み、
前記第１のＣＯＲＥＳＥＴは、前記ＰＢＣＨ信号に含まれるパラメータ及び前記ＰＢＣＨ信号に含まれないパラメータに基づいて設定され、
前記ＰＢＣＨ信号に含まれる前記パラメータは、前記第１のＣＯＲＥＳＥＴに対する帯域幅及び前記第１のＣＯＲＥＳＥＴに対するシンボル数を含み、
前記第１のＣＯＲＥＳＥＴに対する帯域幅及び前記第１のＣＯＲＥＳＥＴに対するシンボル数は、前記ＰＢＣＨ信号内のジョイントエンコーディングされた値により示され、
前記ＰＢＣＨ信号に含まれない前記パラメータは、前記第１のＣＯＲＥＳＥＴに対するＲＥＧバンドルのサイズを含み、
前記第１のＣＯＲＥＳＥＴに対するＲＥＧバンドルのサイズは、６−ＲＥＧと固定される、方法。
【請求項２】
前記ＰＢＣＨ信号に含まれる前記パラメータは、前記第１のＣＯＲＥＳＥＴにおいて、前記端末が前記第１制御チャンネルの候補をモニタリングするモニタリング周期を含む、請求項１に記載の方法。
【請求項３】
前記第１のＣＯＲＥＳＥＴに対する帯域幅は、２４、４８又は９６のリソース単位に制限される、請求項１に記載の方法。
【請求項４】
前記ＰＢＣＨ信号に含まれる前記パラメータは、周波数ドメイン上において前記第１のＣＯＲＥＳＥＴの位置を前記ＳＳＢに基づいて指示するためのオフセットをさらに含む、請求項１に記載の方法。
【請求項５】
ＵＥ−ｄｅｄｉｃａｔｅｄ上位層信号を受信するステップと、
前記ＵＥ−ｄｅｄｉｃａｔｅｄ上位層信号に基づいて設定される第２のＣＯＲＥＳＥＴにおいて、第２制御チャンネルを受信するステップと、をさらに含み、
前記ＵＥ−ｄｅｄｉｃａｔｅｄ上位層信号は、以下のパラメータ、
前記第２のＣＯＲＥＳＥＴに対する周波数リソース、
前記第２のＣＯＲＥＳＥＴに対する時間リソース、を含む、請求項１に記載の方法。
【請求項６】
前記ＵＥ−ｄｅｄｉｃａｔｅｄ上位層信号は、以下のパラメータ、
前記第２のＣＯＲＥＳＥＴに対するＲＥＧバンドルのサイズ、をさらに含む、請求項５に記載の方法。
【請求項７】
前記ＵＥ−ｄｅｄｉｃａｔｅｄ上位層信号は、以下のパラメータ、
ＣＣＥ集合レベル、
ＣＣＥ集合レベルごとの候補数、をさらに含む、請求項５に記載の方法。
【請求項８】
前記ＰＢＣＨ信号に含まれない前記パラメータは、前記第１のＣＯＲＥＳＥＴに関連するＣＣＥ集合レベル及び前記ＣＣＥ集合レベルのそれぞれに対する候補数を含み、
前記第１のＣＯＲＥＳＥＴに関連する前記ＣＣＥ集合レベル及び前記ＣＣＥ集合レベルのそれぞれに対する前記候補数は、固定される、請求項１〜７のいずれか一項に記載の方法。
【請求項９】
無線通信システムにおいて、基地局が下りリンク信号を送信する方法であって、
同期信号ブロック（ＳＳＢ）上においてＰＢＣＨ信号を送信するステップと、
前記ＰＢＣＨ信号に基づいて設定された第１の制御リソースセット（ＣＯＲＥＳＥＴ）において、システム情報をスケジュールする第１制御チャンネルを送信するステップと、
前記第１制御チャンネルによってスケジュールされた前記システム情報を送信するステップと、を含み、
前記第１のＣＯＲＥＳＥＴは、前記ＰＢＣＨ信号に含まれるパラメータ及び前記ＰＢＣＨ信号に含まれないパラメータに基づいて設定され、
前記ＰＢＣＨ信号に含まれる前記パラメータは、前記第１のＣＯＲＥＳＥＴに対する帯域幅及び前記第１のＣＯＲＥＳＥＴに対するシンボル数を含み、
前記第１のＣＯＲＥＳＥＴに対する帯域幅及び前記第１のＣＯＲＥＳＥＴに対するシンボル数は、前記ＰＢＣＨ信号内のジョイントエンコーディングされた値により示され、
前記ＰＢＣＨ信号に含まれない前記パラメータは、前記第１のＣＯＲＥＳＥＴに対するＲＥＧバンドルのサイズを含み、
前記第１のＣＯＲＥＳＥＴに対するＲＥＧバンドルのサイズは、６−ＲＥＧと固定される、方法。
【請求項１０】
前記第１のＣＯＲＥＳＥＴに対する帯域幅は、２４、４８又は９６のリソース単位に制限される、請求項９に記載の方法。
【請求項１１】
前記ＰＢＣＨ信号に含まれる前記パラメータは、周波数ドメイン上において前記第１のＣＯＲＥＳＥＴの位置を前記ＳＳＢに基づいて指示するためのオフセットをさらに含む、請求項９に記載の方法。
【請求項１２】
ＵＥ−ｄｅｄｉｃａｔｅｄ上位層信号を送信するステップと、
前記ＵＥ−ｄｅｄｉｃａｔｅｄ上位層信号に基づいて設定される第２のＣＯＲＥＳＥＴにおいて、第２制御チャンネルを送信するステップと、をさらに含み、
前記ＵＥ−ｄｅｄｉｃａｔｅｄ上位層信号は、以下のパラメータ、
前記第２のＣＯＲＥＳＥＴに対する周波数リソース、
前記第２のＣＯＲＥＳＥＴに対する時間リソース、を含む、請求項１０に記載の方法。
【請求項１３】
前記ＵＥ−ｄｅｄｉｃａｔｅｄ上位層信号は、以下のパラメータ、
前記第２のＣＯＲＥＳＥＴに対するＲＥＧバンドルのサイズ、をさらに含む、請求項１２に記載の方法。
【請求項１４】
前記ＵＥ−ｄｅｄｉｃａｔｅｄ上位層信号は、以下のパラメータ、
ＣＣＥ集合レベル、
ＣＣＥ集合レベルごとの候補数、をさらに含む、請求項１２に記載の方法。
【請求項１５】
前記ＰＢＣＨ信号に含まれない前記パラメータは、前記第１のＣＯＲＥＳＥＴに関連するＣＣＥ集合レベル及び前記ＣＣＥ集合レベルのそれぞれに対する候補数を含み、
前記第１のＣＯＲＥＳＥＴに関連する前記ＣＣＥ集合レベル及び前記ＣＣＥ集合レベルのそれぞれに対する前記候補数は、固定される、請求項９〜１４のいずれか一項に記載の方法。
【請求項１６】
下りリンク信号を受信する端末（ＵＥ）であって、
送受信機と、
前記送受信機と接続されるプロセッサーと、を含み、
前記プロセッサーは、
前記送受信機を介して、同期信号ブロック（ＳＳＢ）上でＰＢＣＨ信号を受信し、
前記送受信機を介して、前記ＰＢＣＨ信号に基づいて設定された第１の制御リソースセット（ＣＯＲＥＳＥＴ）において、システム情報をスケジュールする第１制御チャンネルを受信し、
前記第１制御チャンネルによってスケジュールされた前記システム情報を獲得するよう構成され、
前記第１のＣＯＲＥＳＥＴは、前記ＰＢＣＨ信号に含まれるパラメータ及び前記ＰＢＣＨ信号に含まれないパラメータに基づいて設定され、
前記ＰＢＣＨ信号に含まれる前記パラメータは、前記第１のＣＯＲＥＳＥＴに対する帯域幅及び前記第１のＣＯＲＥＳＥＴに対するシンボル数を含み、
前記第１のＣＯＲＥＳＥＴに対する帯域幅及び前記第１のＣＯＲＥＳＥＴに対するシンボル数は、前記ＰＢＣＨ信号内のジョイントエンコーディングされた値により示され、
前記ＰＢＣＨ信号に含まれない前記パラメータは、前記第１のＣＯＲＥＳＥＴに対するＲＥＧバンドルのサイズを含み、
前記第１のＣＯＲＥＳＥＴに対するＲＥＧバンドルのサイズは、６−ＲＥＧと固定される、端末。
【請求項１７】
前記プロセッサーは、
前記送受信機を介して、ＵＥ−ｄｅｄｉｃａｔｅｄ上位層信号を受信し、
前記送受信機を介して、前記ＵＥ−ｄｅｄｉｃａｔｅｄ上位層信号に基づいて設定される第２のＣＯＲＥＳＥＴにおいて、第２制御チャンネルを受信するようさらに構成され、
前記ＵＥ−ｄｅｄｉｃａｔｅｄ上位層信号は、以下のパラメータ、
前記第２のＣＯＲＥＳＥＴに対する周波数リソース、
前記第２のＣＯＲＥＳＥＴに対する時間リソース、を含む、請求項１６に記載の端末。
【請求項１８】
前記ＵＥ−ｄｅｄｉｃａｔｅｄ上位層信号は、以下のパラメータ、
前記第２のＣＯＲＥＳＥＴに対するＲＥＧバンドルのサイズ、をさらに含む、請求項１７に記載の端末。
【請求項１９】
前記ＵＥ−ｄｅｄｉｃａｔｅｄ上位層信号は、以下のパラメータ、
ＣＣＥ集合レベル、
ＣＣＥ集合レベルごとの候補数、をさらに含む、請求項１７に記載の端末。
【請求項２０】
前記ＰＢＣＨ信号に含まれない前記パラメータは、前記第１のＣＯＲＥＳＥＴに関連するＣＣＥ集合レベル及び前記ＣＣＥ集合レベルのそれぞれに対する候補数を含み、
前記第１のＣＯＲＥＳＥＴに関連する前記ＣＣＥ集合レベル及び前記ＣＣＥ集合レベルのそれぞれに対する前記候補数は、固定される、請求項１６〜１９のいずれか一項に記載の端末。